(57)【要約】  記録管理装置（２０）は、記録媒体（１）に記録されたコンテンツ情報に係る関連情報を、記録媒体に固有の固有情報と対応付けて保存する第１保存部（２５２）と、記録媒体の表面に表された固有情報に関連するコード情報を読み取る第１読取部（２１）と、読み取られたコード情報に基づいて特定される固有情報に対応付けられた関連情報を出力する第１出力部（２５３）と、を備える。
2018193633.tif 000002
【特許請求の範囲】
【請求項１】
記録媒体に記録されたコンテンツ情報に係る関連情報を、前記記録媒体に固有の固有情報と対応付けて保存する第１保存部と、
前記記録媒体の表面に表された前記固有情報に関連するコード情報を読み取る第１読取部と、
前記読み取られたコード情報に基づいて特定される固有情報に対応付けられた関連情報を出力する第１出力部と、
を備えることを特徴とする記録管理装置。
【請求項２】
前記コード情報は、前記固有情報が符号化された符号化情報であり、
前記第１出力部は、前記読み取られたコード情報を復号することにより、前記読み取られたコード情報に関連する固有情報を生成する
ことを特徴とする請求項１に記載の記録管理装置。
【請求項３】
前記第１保存部は、
前記記録媒体に記録された前記固有情報を、前記記録媒体を再生可能な装置から取得する取得部を有し、
前記関連情報を、前記取得部により取得された前記固有情報と対応付けて保存する
ことを特徴とする請求項１に記載の記録管理装置。
【請求項４】
前記固有情報は、前記コンテンツ情報には関連しない情報であることを特徴とする請求項１乃至３のいずれか一項に記載の記録管理装置。
【請求項５】
記録媒体に記録されたコンテンツ情報に係る関連情報を、前記記録媒体に固有の固有情報と対応付けて保存する保存工程と、
前記記録媒体の表面に表された前記固有情報に関連するコード情報を読み取る読取工程と、
前記読み取られたコード情報に基づいて特定される固有情報に対応付けられた関連情報を出力する出力工程と、
を備えることを特徴とする記録管理方法。
【請求項６】
コンピュータを、
記録媒体に記録されたコンテンツ情報に係る関連情報を、前記記録媒体に固有の固有情報と対応付けて保存する保存部と、
前記記録媒体の表面に表された前記固有情報に関連するコード情報を読み取る読取部と、
前記読み取られたコード情報に基づいて特定される固有情報に対応付けられた関連情報を出力する出力部と、
として機能させることを特徴とするコンピュータプログラム。
【請求項７】
請求項６に記載のコンピュータプログラムが記録されていることを特徴とする記録媒体。
【請求項８】
記録媒体の表面に表され、前記記録媒体に固有の固有情報に関連するコード情報を読み取る第２読取部と、
前記読み取られたコード情報に基づいて特定される固有情報と、前記記録媒体が保管される位置を示す位置情報とを対応付けて保存する第２保存部と、
ユーザからの入力を受け付け可能な受付部と、
前記受付部を介して前記固有情報が入力された場合、前記固有情報に対応する位置情報を出力する第２出力部と、
を備えることを特徴とする記録管理装置。
【請求項９】
前記第２出力部は、更に、前記第２読取部により前記コード情報が読み取られた場合、前記コード情報に基づいて特定される固有情報に対応する位置情報を出力することを特徴とする請求項８に記載の記録管理装置。
【発明の詳細な説明】
【技術分野】
【０００１】
本発明は、記録管理装置及び方法、コンピュータプログラム並びに記録媒体の技術分野に関する。
【背景技術】
【０００２】
この種の装置として、例えば光ディスクの非データ面に付された二次元バーコードを撮像して読み取った該二次元バーコードの復号情報に対応した関連情報を外部サーバから取得することにより、二次元バーコードの記憶容量を補う装置が提案されている（特許文献１参照）。尚、光ディスクの非データ面に、光ディスクを識別する個別情報を含むバーコードが形成された光ディスクが提案されている（特許文献２参照）。
【先行技術文献】
【特許文献】
【０００３】
【特許文献１】特開２００７−２１３６７９号公報
【特許文献２】特開２０１１−１１３５８９号公報
【発明の概要】
【発明が解決しようとする課題】
【０００４】
特許文献１に記載の技術では、二次元バーコードを読み取るに際し、光ディスクをディスク装置に挿入する必要がある。このため、特許文献１に記載の技術では、例えば光ディスクの情報を確認するために、光ディスクを保管ケースから取り出したり、該光ディスクをディスク装置に挿入したりする手間がかかってしまう。【０００５】
本発明は、例えば上記問題点に鑑みてなされたものであり、ユーザの手間を減らしつつ、記録媒体に係る情報を取得することができる記録管理装置及び方法、コンピュータプログラム並びに記録媒体を提供することを課題とする。
【課題を解決するための手段】
【０００６】
本発明の第１の記録管理装置は、上記課題を解決するために、記録媒体に記録されたコンテンツ情報に係る関連情報を、前記記録媒体に固有の固有情報と対応付けて保存する第１保存部と、前記記録媒体の表面に表された前記固有情報に関連するコード情報を読み取る第１読取部と、前記読み取られたコード情報に基づいて特定される固有情報に対応付けられた関連情報を出力する第１出力部と、を備える。【０００７】
本発明の第２の記録管理装置は、上記課題を解決するために、記録媒体の表面に表され、前記記録媒体に固有の固有情報に関連するコード情報を読み取る第２読取部と、前記読み取られたコード情報に基づいて特定される固有情報と、前記記録媒体が保管される位置を示す位置情報とを対応付けて保存する第２保存部と、ユーザからの入力を受け付け可能な受付部と、前記受付部を介して前記固有情報が入力された場合、前記固有情報に対応する位置情報を出力する第２出力部と、を備える。【０００８】
本発明の記録管理方法は、上記課題を解決するために、記録媒体に記録されたコンテンツ情報に係る関連情報を、前記記録媒体に固有の固有情報と対応付けて保存する保存工程と、前記記録媒体の表面に表された前記固有情報に関連するコード情報を読み取る読取工程と、前記読み取られたコード情報に基づいて特定される固有情報に対応付けられた関連情報を出力する出力工程と、を備える。【０００９】
本発明のコンピュータプログラムは、上記課題を解決するために、コンピュータを、記録媒体に記録されたコンテンツ情報に係る関連情報を、前記記録媒体に固有の固有情報と対応付けて保存する保存部と、前記記録媒体の表面に表された前記固有情報に関連するコード情報を読み取る読取部と、前記読み取られたコード情報に基づいて特定される固有情報に対応付けられた関連情報を出力する出力部と、として機能させる。【００１０】
本発明の記録媒体は、上記課題を解決するために、本発明のコンピュータプログラムが記録されている。【００１１】
本発明の作用及び他の利得は次に説明する実施するための形態から明らかにされる。
【図面の簡単な説明】
【００１２】
【図１】第１実施例に係る光ディスクを示す図である。
【図２】第１実施例に係るシステムの概要を示す図である。
【図３】第１実施例に係るホストシステムの構成を示す図である。
【図４】第１実施例に係るデータ関連情報の保存動作を示すフローチャートである。
【図５】第１実施例に係るデータ関連情報の出力動作を示すフローチャートである。
【図６】第２実施例に係るシステムの概要を示す図である。
【図７】第２実施例に係るデータ関連情報の保存動作を示すフローチャートである。
【図８】第２実施例に係るデータ関連情報の出力動作を示すフローチャートである。
【図９】第３実施例に係るシステムの概要を示す図である。
【図１０】第３実施例に係るホストシステムの動作を示すフローチャートである。
【図１１】第３実施例に係る端末装置の動作を示すフローチャートである。
【図１２】第４実施例に係るシステムの概要を示す図である。
【図１３】第４実施例に係るホストシステムの動作を示すフローチャートである。
【図１４】第４実施例に係る組合せ判別処理を示すフローチャートである。
【発明を実施するための形態】
【００１３】
本発明の記録管理装置及び方法、コンピュータプログラム並びにシステム各々に係る実施形態について説明する。
【００１４】
（記録管理装置）
１．第１の記録管理装置
実施形態に係る第１の記録管理装置は、記録媒体に記録されたコンテンツ情報に係る関連情報を、該記録媒体に固有の固有情報と対応付けて保存する第１保存部と、記録媒体の表面に表された固有情報に関連するコード情報を読み取る第１読取部と、該読み取られたコード情報に基づいて特定される固有情報に対応付けられた関連情報を出力する第１出力部と、を備える。
【００１５】
当該記録管理装置が対象とする記録媒体は、その表面に、記録媒体の固有情報に関連するコード情報が表されている。第１読取部は、記録媒体を再生することなく、記録媒体の表面のコード情報を読み取る。第１出力部は、読み取られたコード情報に基づいて特定される固有情報に対応付けられた関連情報を出力する。つまり、当該記録管理装置では、記録媒体を再生することなく、該記録媒体に係る関連情報を出力することができる。
【００１６】
実施形態に係る第１の記録管理装置の一態様では、コード情報は、固有情報が符号化された符号化情報であり、第１出力部は、読み取られたコード情報を復号することにより、読み取られたコード情報に関連する固有情報を生成する。この態様によれば、比較的容易にして記録媒体の固有情報を特定することができる。
【００１７】
実施形態に係る第１の記録管理装置の他の態様では、第１保存部は、記録媒体に記録された固有情報を、記録媒体を再生可能な装置から取得する取得部を有し、関連情報を、取得部により取得された固有情報と対応付けて保存する。この態様によれば、関連情報の保存時に、当該記録管理装置自体が記録媒体から固有情報を取得する必要がないので、実用上非常に有利である。特に関連情報は、記録媒体にコンテンツ情報が記録される際に、該記録媒体の固有情報と対応付けて保存されることが多いので、このように構成してもユーザの手間が増えることはないと考えられる。
【００１８】
実施形態に係る第１の記録管理装置の他の態様では、固有情報は、コンテンツ情報には関連しない情報である。この態様によれば、記録媒体の製造時に、固有情報に関連するコード情報を記録媒体に付与することができる。このような固有情報の一例としては、“Ｍｅｄｉａ  ＩＤ”が挙げられる。
【００１９】
２．第２の記録管理装置
実施形態に係る第２の記録管理装置は、記録媒体の表面に表され、該記録媒体に固有の固有情報に関連するコード情報を読み取る第２読取部と、該読み取られたコード情報に基づいて特定される固有情報と、記録媒体が保管される位置を示す位置情報とを対応付けて保存する第２保存部と、ユーザからの入力を受け付け可能な受付部と、該受付部を介して固有情報が入力された場合、固有情報に対応する位置情報を出力する第２出力部と、を備える。
【００２０】
当該記録管理装置が対象とする記録媒体は、その表面に、記録媒体の固有情報に関連するコード情報が表されている。第２読取部は、記録媒体を再生することなく、記録媒体の表面のコード情報を読み取る。第２保存部は、読み取られたコード情報に基づいて特定される固有情報と、記録媒体が保管される位置を示す位置情報とを対応付けて保存する。つまり、当該記録管理装置では、記録媒体を保管する際に、該記録媒体を再生することなく、該記録媒体の固有情報と位置情報とを対応付けることができる。
【００２１】
実施形態に係る第２の記録管理装置の一態様では、第２出力部は、更に、第２読取部によりコード情報が読み取られた場合、コード情報に基づいて特定される固有情報に対応する位置情報を出力する。この態様によれば、例えば、何らかの原因で記録媒体が定められた保管位置とは異なる位置に置かれた場合に、出力された位置情報に基づいて、比較的容易にして元の位置に記録媒体を再保管することができる。
【００２２】
（記録管理方法）
実施形態に係る記録管理方法は、記録媒体に記録されたコンテンツ情報に係る関連情報を、記録媒体に固有の固有情報と対応付けて保存する保存工程と、記録媒体の表面に表された固有情報に関連するコード情報を読み取る読取工程と、読み取られたコード情報に基づいて特定される固有情報に対応付けられた関連情報を出力する出力工程と、を備える。
【００２３】
当該記録管理方法によれば、上述した実施形態に係る第１の記録管理装置と同様に、記録媒体を再生することなく、該記録媒体に係る関連情報を出力することができる。尚、当該記録管理方法においても、上述した第１の実施形態に係る記録管理装置の各種態様と同様の各種態様を採ることができる。
【００２４】
（コンピュータプログラム）
実施形態に係るコンピュータプログラムは、コンピュータを、記録媒体に記録されたコンテンツ情報に係る関連情報を、記録媒体に固有の固有情報と対応付けて保存する保存部と、記録媒体の表面に表された固有情報に関連するコード情報を読み取る読取部と、読み取られたコード情報に基づいて特定される固有情報に対応付けられた関連情報を出力する出力部と、として機能させる。
【００２５】
当該コンピュータプログラムをコンピュータに実行させれば、上述した実施形態に係る第１の記録管理装置を実現することができる。この結果、当該コンピュータプログラムによれば、上述した実施形態に係る第１の記録管理装置と同様に、記録媒体を再生することなく、該記録媒体に係る関連情報を出力することができる。
【００２６】
（記録媒体）
実施形態に係る記録媒体には、上述した実施形態に係るコンピュータプログラムが記録されている。上述した実施形態に係るコンピュータプログラムが記録された、例えばＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等である当該記録媒体を、コンピュータに読み込ませて実行させれば、上述した実施形態に係る第１の記録管理装置を実現することができる。この結果、当該記録媒体によれば、上述した実施形態に係る第１の記録管理装置と同様に、記録媒体を再生することなく、該記録媒体に係る関連情報を出力することができる。
【実施例】
【００２７】
本発明の記録管理装置に係る実施例を図面に基づいて説明する。以下の実施例では、光ディスクを記録媒体の一例として挙げる。【００２８】
＜第１実施例＞
本発明の記録管理装置に係る第１実施例について、図１乃至図５を参照して説明する。【００２９】
（光ディスク）
先ず、本実施例に係る記録管理装置が対象とする光ディスクについて、図１を参照して説明する。図１は、第１実施例に係る光ディスクを示す図である。【００３０】
図１において、光ディスク１の非記録面（即ち、ラベル面）（図１（ａ）参照）には、「コード情報」の一例としての二次元バーコード１１が表されている該二次元バーコード１１は、光ディスク１に固有のＭｅｄｉａＩＤが符号化されたものである。該ＭｅｄｉａＩＤは、光ディスク１の記録面（図１（ｂ）参照）のＢＣＡ（Ｂａｒｓｔ  Ｃｕｔｔｉｎｇ  Ａｒｅａ）１２に記録されたＭｅｄｉａＩＤと同一である。【００３１】
二次元バーコード１１は、典型的には、光ディスク１の製造時に、該光ディスク１の非記録面に印刷される。二次元バーコード１１は、印刷以外の加工方法により、光ディスク１の非記録面に表されてよい。【００３２】
（記録管理装置）
次に、本実施例に係る記録管理装置を含むシステムの全体構成について、図２を参照して説明する。図２は、第１実施例に係るシステムの概要を示す図である。【００３３】
図２において、本実施例に係るシステムは、「記録管理装置」の一例としてのホストシステム２０、ＯＤＤ（Ｏｐｔｉｃａｌ  Ｄｉｓｃ  Ｄｒｉｖｅ）３０及びデータベース４０を備えて構成されている。ホストシステム２０とＯＤＤ３０とは、典型的には、例えばＳＡＴＡやＵＳＢ等で有線接続されるが、有線又は無線ＬＡＮ（Ｌｏｃａｌ  Ａｒｅａ  Ｎｅｔｗｏｒｋ）等のネットワークを介して接続されてもよい。データベース４０は、典型的には、ネットワークを介してホストシステム２０と接続される、例えばサーバやネットワークハードディスク等の外部装置である。データベース４０は、ホストシステム２０に内蔵されていてもよいし、一般的にクラウドと呼ばれる外部装置とされてもよい。【００３４】
当該システムでは、ホストシステム２０に記録されている、例えば写真や動画等のコンテンツデータが、ＯＤＤ３０に送信され、ＯＤＤ３０において、該送信されたコンテンツデータが光ディスク１に記録される。ＯＤＤ３０は、コンテンツデータを光ディスク１に記録する際に、該光ディスク１のＢＣＡ１２に記録されたＭｅｄｉａＩＤを読み出し、該読み出されたＭｅｄｉａＩＤをホストシステム２０に送信する。ホストシステム２０は、ＯＤＤ３０に送信されたコンテンツデータに関連する、例えば、写真等のサムネイル画像、撮影日時や撮影場所等のデータ関連情報と、ＭｅｄｉａＩＤとを対応付けて、データベース４０に保存する。【００３５】
ホストシステムの詳細
ここで、ホストシステム２０の詳細について、図３乃至図５を参照して説明を加える。図３は、第１実施例に係るホストシステムの構成を示す図である。【００３６】
図３において、ホストシステム２０は、読取部２１、表示部２２、入力部２３、記憶部２４、制御部２５及び通信部２６を備えて構成されている。読取部２１は、二次元バーコード１１の記録内容（ここでは、ＭｅｄｉａＩＤ）を読み取り可能に構成されている。入力部２３は、ホストシステム２０のユーザからの入力を受け付け可能に構成されている。尚、入力部２３は、タッチパネルとして（即ち、表示部２２と一体として）構成されていてもよい。例えばハードディスク、不揮発性メモリ等である記憶部２４は、コンテンツデータを含む各種データを記憶する。【００３７】
制御部２５は、その内部に論理的に実現される処理ブロックとして又は物理的に実現される処理回路として、設定部２５１、保存部２５２及び出力部２５３を有する。設定部２５１は、コンテンツデータに関連するデータ関連情報を設定する。保存部２５２は、データ関連情報をＭｅｄｉａＩＤに対応付けて、データベース４０に保存（登録）する。出力部２５３は、ＭｅｄｉａＩＤに対応付けられたデータ関連情報を、データベース４０から抽出（検索）し、該抽出されたデータ関連情報を、表示部２２に出力する。【００３８】
保存時
データ関連情報の保存時におけるホストシステム２０の動作について、図４のフローチャートを参照して説明する。【００３９】
図４において、コンテンツデータ記録用の光ディスク１がＯＤＤ３０内に挿入された後、ホストシステム２０の制御部２５は、通信部２６を介して、ＯＤＤ３０により読み出された光ディスク１のＢＣＡ１２に記録されたＭｅｄｉａＩＤを取得する（ステップＳ１１１）。【００４０】
次に、制御部２５は、記憶部２４に記憶されているコンテンツデータのうち、入力部２３を介してユーザにより選択されたコンテンツデータ、及び、該選択されたコンテンツデータを光ディスク１に記録する旨の指示を、通信部２６を介してＯＤＤ３０に送信する。この結果、光ディスク１にコンテンツデータが記録される。（ステップＳ１１２）。【００４１】
ステップＳ１１２の処理と並行して、設定部２５１は、選択されたコンテンツデータに関連するデータ関連情報を設定（生成）する（ステップＳ１１３）。尚、設定部２５１は、コンテンツデータが記憶部２４に記憶された際に、記憶されたコンテンツデータに関連するデータ関連情報を設定（生成）し、光ディスク１に記録されるコンテンツデータが選択されたときに、該選択されたコンテンツデータに関連するデータ関連情報を抽出してもよい。【００４２】
次に、保存部２５２は、ステップＳ１１１の処理において取得されたＭｅｄｉａＩＤと、ステップＳ１１３の処理において設定されたデータ関連情報とを対応付けて、データベース４０に保存（登録）する（ステップＳ１１４）。【００４３】
出力時
光ディスク１に記録されているコンテンツデータの確認時におけるホストシステム２０の動作について、図５のフローチャートを参照して説明する。【００４４】
図５において、例えばカメラ等（図示せず）により光ディスク１の二次元バーコード１１が読み取られた後（ステップＳ１２１）、読取部２１は、二次元バーコード１１を復号してＭｅｄｉａＩＤを生成することにより、ＭｅｄｉａＩＤを取得する（ステップＳ１２２）。【００４５】
次に、出力部２５３は、通信部２６を介してデータベース４０にアクセスし（ステップＳ１２３）、取得されたＭｅｄｉａＩＤに対応するデータ関連情報を取得する（ステップＳ１２４）。続いて、出力部２５３は、取得されたデータ関連情報を、表示部２２に表示する（ステップＳ１２５）。【００４６】
（技術的効果）
本実施例によれば、光ディスク１の二次元バーコード１１を読み取りさえすれば、該光ディスク１に記録されているコンテンツデータに関連するデータ関連情報が表示部２２に表示される。このため、ホストシステム２０のユーザは、光ディスク１をＯＤＤ３０に挿入することなく、該光ディスク１の記録内容を確認することができる。【００４７】
＜変形例＞
コンテンツデータが光ディスク１に記録される場合、ＯＤＤ３０が光ディスク１のＢＣＡ１２からＭｅｄｉａＩＤを読み出すことに代えて、光ディスク１がＯＤＤ３０に挿入される前に、ホストシステム２０の読取部２１により、光ディスク１の二次元バーコード１１からＭｅｄｉａＩＤが取得されてもよい。【００４８】
尚、二次元バーコード１１に代えて、ＭｅｄｉａＩＤが符号化された一次元バーコードが光ディスク１に付与されていてもよい。【００４９】
＜応用例＞
コンテンツデータが記録された光ディスク１をＯＤＤ３０に再生させる際に、先ず、ホストシステム２０の読取部２１に光ディスク１の二次元バーコード１１からＭｅｄｉａＩＤを取得させる。その後、光ディスク１をＯＤＤ３０に挿入して再生させる。ホストシステム２０はＯＤＤ３０に再生する旨の指示を出しており、ホストシステム自体が再生位置を把握している。【００５０】
ホストシステム２０のユーザが、ＯＤＤ３０により再生された光ディスク１に記録されたコンテンツデータを見ながら、入力部２３を介して、例えばコメント等を入力すると、設定部２５１は、入力されたコメント等を、ホストシステム自体が把握している再生位置と対応付けて新たなデータ関連情報を設定する。保存部２５２は、該設定された新たなデータ関連情報とＭｅｄｉａＩＤとを対応付けて、データベース４０に保存することにより、該ＭｅｄｉａＩＤに対応付けられたデータ関連情報を更新する。【００５１】
このように構成すれば、比較的容易にしてデータ関連情報を追加・更新することができる。【００５２】
＜第２実施例＞
記録管理装置に係る第２実施例について、図６乃至図８を参照して説明する。第２実施例では、光ディスク１の保管場所を示す情報が、該光ディスク１のＭｅｄｉａＩＤに対応付けられてデータベース４０に保存される以外は、上述した第１実施例と同様である。よって、第２実施例について、第１実施例と重複する説明を適宜省略するとともに、図面上における共通箇所には同一符号を付して示し、基本的に異なる点についてのみ図６乃至図８を参照して説明する。【００５３】
（記録管理装置）
本実施例に係る記録管理装置を含むシステムの全体構成について、図６を参照して説明する。図６は、第２実施例に係るシステムの概要を示す図である。【００５４】
図６において、本実施例に係るシステムは、ホストシステム２０、ＯＤＤ３０及びデータベース４０を備えて構成されている。当該システムは更に、ＯＤＤ３０と保管庫（保管庫１、２、…）との間で、光ディスク１を搬送する搬送メカを備える。尚、搬送メカには、既存の各種態様を適用可能であるので、その詳細についての説明は省略する。【００５５】
光ディスク１にコンテンツデータが記録される際の当該システムの動作は、上述の第１実施例に係るシステムの動作と同様である。さて、コンテンツデータが記録された光ディスク１が保管される場合、ホストシステム２０は、光ディスク１の二次元バーコード１１から該光ディスク１のＭｅｄｉａＩＤを取得するとともに、ホストシステム２０のユーザにより指定された光ディスク１の保管場所を示す保管場所情報と、ＭｅｄｉａＩＤとを対応付けて、データベース４０に保存する。この結果、データベース４０には、光ディスク１のＭｅｄｉａＩＤ、データ関連情報及び保管場所情報が保存（登録）されることとなる。ホストシステム２０は更に、光ディスク１をユーザにより指定された保管場所へ搬送するように搬送メカを制御する。【００５６】
尚、光ディスク１にコンテンツデータが記録される際のホストシステムと、光ディスク１が保管庫に保管される際のホストシステムとは、互いに異なっていてよい。【００５７】
ホストシステムの詳細
保管時
光ディスク１の保管時におけるホストシステム２０の動作について、図７のフローチャートを参照して説明する。【００５８】
図７において、例えばカメラ等（図示せず）により光ディスク１の二次元バーコード１１が読み取られた後、読取部２１は、二次元バーコード１１を復号してＭｅｄｉａＩＤを生成することにより、ＭｅｄｉａＩＤを取得する（ステップＳ２１１）。次に、制御部２５は、入力部２３を介してユーザにより指定された保管場所へ光ディスク１を搬送するように搬送メカを制御する。この結果、光ディスク１が指定された保管場所へ保管される。（ステップＳ２１２）。【００５９】
上記ステップＳ２１２の処理と並行して、保存部２５２は、ステップＳ２１１の処理において取得されたＭｅｄｉａＩＤと、ユーザにより指定された保管場所を示す保管場所情報とを対応付けて、データベース４０に保存する（ステップＳ２１３）。【００６０】
取出し時
保管庫から光ディスクが取り出される際におけるホストシステム２０の動作について、図８のフローチャートを参照して説明する。上述したように、データベース４０には、ＭｅｄｉａＩＤ、データ関連情報及び保管場所情報が互いに対応付けられて保存されている。このため、ＭｅｄｉａＩＤ又はデータ関連情報から、光ディスク１の保管場所を特定することができる。【００６１】
図８において、制御部２５は、入力部２３を介してＭｅｄｉａＩＤが指定されたか否かを判定する（ステップＳ２２１）。この判定において、ＭｅｄｉａＩＤが指定されたと判定された場合（ステップＳ２２１：Ｙｅｓ）、後述するステップＳ２２４の処理が行われる。【００６２】
他方、ステップＳ２２１の判定において、ＭｅｄｉａＩＤが指定されていないと判定された場合、制御部２５は、入力部２３を介してデータ関連情報の少なくとも一部（例えばキーワード、日時等）が指定されたか否かを判定する（ステップＳ２２２）。【００６３】
ステップＳ２２２の判定において、データ関連情報の少なくとも一部が指定されていないと判定された場合（ステップＳ２２２：Ｎｏ）、ステップＳ２２１の判定が再び行われる。他方、ステップＳ２２２の判定において、データ関連情報の少なくとも一部が指定されたと判定された場合（ステップＳ２２２：Ｙｅｓ）、制御部２５は、通信部２６を介してデータベース４０にアクセスし、指定されたデータ関連情報の少なくとも一部に対応付けられたＭｅｄｉａＩＤを特定する（ステップＳ２２３）。【００６４】
尚、ユーザによりデータ関連情報の一部が指定された場合、複数のＭｅｄｉａＩＤが特定されることがある。この場合、例えば、特定された複数のＭｅｄｉａＩＤと、該複数のＭｅｄｉａＩＤに夫々対応する複数のデータ関連情報とが、表示部２２に表示されるように構成してもよい。【００６５】
次に、制御部２５は、通信部２６を介してデータベース４０にアクセスし、指定又は特定されたＭｅｄｉａＩＤに対応付けられた保管場所情報を取得する（ステップＳ２２４）。次に、制御部２５は、保管場所情報により示される保管場所から、指定又は特定されたＭｅｄｉａＩＤの光ディスク１を取り出し、ＯＤＤ３０に挿入するように搬送メカを制御する（ステップＳ２２５）。光ディスク１がＯＤＤ３０に挿入された後、制御部２５は、通信部２６を介して、光ディスク１を再生するようにＯＤＤ３０を制御する（ステップＳ２２６）。【００６６】
再保管時
例えば地震等の不測の事態により光ディスク１の再保管が必要になった場合、次のようにして光ディスク１を元の保管場所に保管することができる。即ち、光ディスク１の二次元バーコード１１をホストシステム２０に読み取らせると、ホストシステム２０の制御部２５は、通信部２６を介してデータベース４０にアクセスし、二次元バーコード１１から取得されたＭｅｄｉａＩＤに対応付けられた保管場所情報を取得する。制御部２５は、取得された保管場所情報により示される保管場所を表示部２２に表示する。ユーザは、表示部２２に表示された保管場所を参照すれば、光ディスク１を元の保管場所に保管することができる。【００６７】
（技術的効果）
本実施例によれば、比較的容易にして、光ディスク１を保管することができるとともに、保管場所から光ディスク１を取り出すことができる。加えて、光ディスク１が一旦保管された後は、該光ディスク１の二次元バーコード１１を読み取ることによって、該光ディスク１の保管場所を、表示部２２に表示させることができる。【００６８】
＜第３実施例＞
記録管理装置に係る第３実施例について、図９乃至図１１を参照して説明する。第３実施例では、光ディスク１にコンテンツデータを記録する装置と、データ関連情報を表示する装置とが異なる以外は、上述した第１実施例と同様である。よって、第３実施例について、第１実施例と重複する説明を適宜省略するとともに、図面上における共通箇所には同一符号を付して示し、基本的に異なる点についてのみ図９乃至図１１を参照して説明する。【００６９】
（記録管理装置）
本実施例に係る記録管理装置を含むシステムの全体構成について、図９を参照して説明する。図９は、第３実施例に係るシステムの概要を示す図である。【００７０】
図９において、本実施例に係るシステムは、音楽配信サービス会社が所有するホストシステム２０ａ、ＯＤＤ３０及びデータベース４０と、ユーザが所有する、例えばスマートフォン、タブレット、パーソナルコンピュータ等の端末装置２０ｂとを備えて構成されている。「ホストシステム２０ａ」及び「端末装置２０ｂ」各々は、「記録管理装置」の一例であり、上述のホストシステム２０と同様の構成を有している。【００７１】
音楽配信サービス会社のホストシステム２０ａは、ユーザが所望する楽曲（即ち、コンテンツデータ）を光ディスク１に記録する際、光ディスク１のＢＣＡ１２から取得されたＭｅｄｉａＩＤと、ユーザが所望する楽曲に関連する楽曲関連情報（上述のデータ関連情報に相当）とを対応付けて、データベース４０に保存する。楽曲が記録された光ディスク１を受け取ったユーザが、端末装置２０ｂに該光ディスク１の二次元バーコード１１を読み取らせると、端末装置２０ｂは、データベース４０にアクセスし、二次元バーコード１１から取得されたＭｅｄｉａＩＤに対応付けられた楽曲関連情報を取得して、該取得された楽曲関連情報を表示する。尚、ユーザ情報は、端末装置２０ｂがデータベース４０にアクセスする際の認証に用いられる。【００７２】
ホストシステム２０ａの動作
ホストシステム２０ａの動作について、図１０のフローチャートを参照して説明する。ここでは、ユーザが所望する楽曲に関する情報は、予めホストシステム２０ａに入力されているものとする。尚、ユーザが所望する楽曲に関する情報は、例えばユーザが端末装置２０ｂを用いてホストシステム２０ｂに送信することにより、ホストシステム２０ａに入力されてもよいし、ユーザが所望する楽曲に関する情報を受け取った音楽配信サービス会社の従業員によりホストシステム２０ａに入力されてもよい。【００７３】
図１０において、楽曲記録用の光ディスク１がＯＤＤ３０内に挿入された後、ホストシステム２０ａの制御部２５は、通信部２６を介して、ＯＤＤ３０により読み出された光ディスク１のＢＣＡ１２に記録されたＭｅｄｉａＩＤを取得する（ステップＳ３１１）。【００７４】
次に、制御部２５は、記憶部２４又は外部の記憶装置（図示せず）に記憶されている楽曲のうち、ユーザが所望する楽曲に関するデータ、及び、該所望する楽曲を光ディスク１に記録する旨の指示を、通信部２６を介してＯＤＤ３０に送信する。この結果、光ディスク１に楽曲が記録される。（ステップＳ３１２）。【００７５】
ステップＳ３１２の処理と並行して、設定部２５１は、ユーザが所望する楽曲に関連する楽曲関連情報（例えば歌詞、アーティスト情報等）を設定（生成）する（ステップＳ３１３）。【００７６】
次に、保存部２５２は、ステップＳ３１１の処理において取得されたＭｅｄｉａＩＤと、ステップＳ３１３の処理において設定された楽曲関連情報と、ユーザ情報とを対応付けて、データベース４０に保存（登録）する（ステップＳ３１４）。尚、ユーザ情報は、典型的には、ユーザが所望する楽曲に関する情報に含まれており、保存部２５２は、該情報からユーザ情報を取得する。【００７７】
端末装置２０ｂの動作
端末装置２０ｂの動作について、図１１のフローチャートを参照して説明する。【００７８】
図１１において、例えばカメラ等（図示せず）により光ディスク１の二次元バーコード１１が読み取られた後（ステップＳ３２１）、端末装置２０ｂの読取部２１は、二次元バーコード１１を復号してＭｅｄｉａＩＤを生成することにより、ＭｅｄｉａＩＤを取得する（ステップＳ３２２）。【００７９】
次に、制御部２５は、通信部２６を介して、上記ステップＳ３２２の処理において取得されたＭｅｄｉａＩＤ、及びユーザ情報をデータベース４０に送信する（ステップＳ３２３）。尚、ユーザ情報は、ＭｅｄｉａＩＤがホストシステム２０ａに送信される際に、例えば入力欄が表示されることによってユーザにより入力されてもよいし、端末装置２０ｂの記憶部２４に予め記憶されていてもよい。【００８０】
データベース４０において、ＭｅｄｉａＩＤ及びユーザ情報を用いた認証が成功すると、端末装置２０ｂはデータベース４０へのアクセスが可能になる。データベース４０へのアクセスが可能となった後、端末装置２０ｂの出力部２５３は、通信部２６を介してデータベース４０にアクセスし、ＭｅｄｉａＩＤに対応する楽曲関連情報を取得し（ステップＳ３２４）、該取得された楽曲関連情報を、表示部２２に表示する。【００８１】
（技術的効果）
本実施例によれば、光ディスク１の二次元バーコード１１を読み取りさえすれば、該光ディスク１に記録されている楽曲に関連する楽曲関連情報が表示部２２に表示される。これにより、端末装置２０ｂのユーザの楽曲を聴く楽しみが広がることが期待できる。【００８２】
＜第４実施例＞
記録管理装置に係る第４実施例について、図１２乃至図１４を参照して説明する。第４実施例では、複数の光ディスク１が一組として扱われること以外は、上述した第１実施例と同様である。よって、第４実施例について、第１実施例と重複する説明を適宜省略するとともに、図面上における共通箇所には同一符号を付して示し、基本的に異なる点についてのみ図１２乃至図１４を参照して説明する。【００８３】
（記録管理装置）
本実施例に係る記録管理装置を含むシステムの全体構成について、図１２を参照して説明する。図１２は、第４実施例に係るシステムの概要を示す図である。【００８４】
図１２において、本実施例に係るシステムは、ホストシステム２０、複数のＯＤＤ３０及びデータベース４０を備えて構成されている。本実施例に係るシステムでは、複数の光ディスク１（例えば１２枚の光ディスク１）が１組として扱われる。【００８５】
複数の光ディスク１各々が対応するＯＤＤ３０に挿入されることによって、光ディスク１を用いたＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ又はＲｅｄｕｎｄａｎｔ  Ａｒｒａｙｓ  ｏｆ  Ｉｎｄｅｐｅｎｄｅｎｔ  Ｄｉｓｋｓ）が実現される。このため、複数の光ディスク１各々が対応するＯＤＤ３０に挿入されているときは、該複数の光ディスク１は、仮想的な１枚の光ディスクとして運用される。ＯＤＤ３０から取り出された複数の光ディスク１は、１組毎にマガジンに収納される。【００８６】
ホストシステムの詳細
データ記録時
光ディスク１のデータ記録時におけるホストシステム２０の動作について、図１３のフローチャートを参照して説明する。【００８７】
図１３において、複数の光ディスク１各々が対応するＯＤＤ３０が挿入された後、ホストシステム２０の制御部２５は、各ＯＤＤ３０により読み出された各光ディスク１のＢＣＡ１２に記録されたＭｅｄｉａＩＤを取得する（ステップＳ４１１）。【００８８】
次に、制御部２５は、記憶部２４に記憶されているコンテンツデータのうち、入力部２３を介してユーザにより選択されたコンテンツデータ、及び、該選択されたコンテンツデータを光ディスク（ここでは、仮想的な１枚の光ディスク）に記録する旨の指示を、複数のＯＤＤ３０のうち少なくとも一つのＯＤＤ３０に送信する。この結果、光ディスクにコンテンツデータが記録される。（ステップＳ４１２）
ステップＳ４１２の処理と並行して、設定部２５１は、選択されたコンテンツデータに関連するデータ関連情報を設定（生成）する（ステップＳ４１３）。次に、保存部２５２は、ステップＳ４１１の処理において取得された複数のＭｅｄｉａＩＤ（即ち、１組のＭｅｄｉａＩＤ）と、ステップＳ４１３の処理において設定されたデータ関連情報とを対応付けて、データベース４０に保存（登録）する（ステップＳ４１４）。【００８９】
組合せ判別
１組の光ディスク１がマガジンに収納されている状態であれば問題はないが、例えば複数のマガジン各々から一又は複数の光ディスク１が取り出された状態では、取り出された光ディスク１が、どの組合せ（又はどのマガジン）に属するのかが不明になる。そこで、本実施例では、図１４のフローチャートに示す処理により光ディスク１の組合せの判別を行うことができる。【００９０】
図１４において、マガジンから取り出された光ディスク１の二次元バーコード１１が、例えばカメラ（図示せず）により読み取られた後（ステップＳ４２１）、ホストシステム２０の読取部２１は、二次元バーコード１１を復号してＭｅｄｉａＩＤを生成することにより、ＭｅｄｉａＩＤを取得する（ステップＳ４２２）。【００９１】
次に、出力部２５３は、通信部２６を介してデータベース４０にアクセスし（ステップＳ４２３）、取得されたＭｅｄｉａＩＤを含む１組のＭｅｄｉａＩＤを取得することにより、二次元バーコード１１が読み取られた光ディスク１が属する組合せを判別する（ステップＳ４２４）。このとき出力部２５３は、判別結果を表示部２２に表示する。【００９２】
（技術的効果）
本実施例によれば、複数の光ディスク１を１組として扱うことによりＲＡＩＤを実現することができる。加えて、本実施形態によれば、光ディスク１の二次元バーコード１１を読み取ることによって、該光ディスク１が属する組合せを判別することができる。
【００９３】
本発明は、上述した実施形態に限られるものではなく、請求の範囲及び明細書全体から読み取れる発明の要旨或いは思想に反しない範囲で適宜変更可能であり、そのような変更を伴う記録管理装置及び方法、コンピュータプログラム並びに記録媒体もまた本発明の技術的範囲に含まれるものである。
【符号の説明】
【００９４】
１…光ディスク、１１…二次元バーコード、１２…ＢＣＡ、２０…ホストシステム、２１…読取部、２２…表示部、２３…入力部、２４…記憶部、２５…制御部、２６…通信部、２５１…設定部、２５２…保存部、２５３…出力部
【図１】
2018193633.tif 000003
【図２】
2018193633.tif 000004
【図３】
2018193633.tif 000005
【図４】
2018193633.tif 000006
【図５】
2018193633.tif 000007
【図６】
2018193633.tif 000008
【図７】
2018193633.tif 000009
【図８】
2018193633.tif 000010
【図９】
2018193633.tif 000011
【図１０】
2018193633.tif 000012
【図１１】
2018193633.tif 000013
【図１２】
2018193633.tif 000014
【図１３】
2018193633.tif 000015
【図１４】
2018193633.tif 000016
【国際調査報告】
2018193633.tif 000017
2018193633.tif 000018
2018193633.tif 000019
2018193633.tif 000020